(57)【要約】      （修正有）【課題】太陽エネルギーを効率よく吸収できるソーラー掛け時計を提供する。【解決手段】掛け箱１１を含み、掛け箱１１の中には上方に開口した伝動チャンバ１２が設けられ、伝動チャンバ１２の前端内壁にはフレームが嵌設され、フレームの後端内壁には前後に伸びた時計軸４０が回転できるように連結され、時計軸４０にはフレームの中に固定された時計本体が設けられ、時計軸４０には伝動チャンバ１２の中に位置した横傘歯車３９が設けられ、時計本体が作動する時に時計軸４０により横傘歯車３９を回転連動させ、これによりスイッチ装置９０１を作動連動させ、これにより吸収装置９０３を作動連動させる。【選択図】図１
2020160037.tif 000002
【特許請求の範囲】
【請求項１】
正面視で、掛け箱を含み、前記掛け箱の中には上方に開口した伝動チャンバが設けられ、前記伝動チャンバの前端内壁にはフレームが嵌設され、前記フレームの後端内壁には前後に伸びた時計軸が回転できるように連結され、前記時計軸には前記フレームの中に固定された本体が設けられ、前記時計軸には前記伝動チャンバの中に位置した横傘歯車が設けられ、前記伝動チャンバの中には前記時計軸の上端に位置した横ロッドが固定的に連結され、前記横ロッドには上下に伸びた伝動軸が回転できるように連結され、前記伝動軸には前記横傘歯車と噛合できるように連結された縦傘歯車が設けられ、前記伝動軸には前記横ロッドには前記横ロッドの上端に位置した下軸連結器が設けられ、前記伝動チャンバの中には前記横ロッドの上端に位置したスイッチ装置がスライドできるように連結され、前記掛け箱の上端には左右に対称する貯水箱が固定的に連結され、前記貯水箱の中には上方に開口した貯水チャンバが設けられ、前記貯水チャンバの中には雨検知装置が設けられ、前記雨水検知装置がスイッチ装置を制御し、前記貯水箱の上側には連結ロッドが設けられ、前記連結ロッドにはスプライン軸が回転できるように連結され、前記スプライン軸が前記スイッチ装置に制御され、前記スプライン軸には前記連結ロッドの上端に位置した吸収装置が設けられ、
前記雨水検知装置は前記スイッチ装置により前記吸収装置がソーラーエネルギーを電気に変えて装置に電力を提供するのに作動しているかどうかを検知することを特徴とするソーラー掛け時計。
【請求項２】
前記スイッチ装置は前記伝動チャンバの内壁に設けられ、且つ左右に対称するスライド溝を含み、前記スライド溝の中には支持ロッドがスライドできるように連結され、前記支持ロッドの上側と前記スライド溝の頂端内壁との間には引張バネが連結され、前記支持ロッドには前記スプライン軸とスライドできるように連結されたスリーブが回転できるように連結され、前記スリーブには前記下軸連結器と当接した上軸連結器が設けられ、前記上軸連結器の上側と前記支持ロッドの下側との間には復帰バネが連結され、前記スリーブには左右に対称する凹溝が設けられ、前記凹溝の中には固定軸が回転できるように連結され、前記固定軸には回転板が設けられ、前記回転板の前側と前記凹溝の前側内壁との間にはトーションバネが連結され、前記回転板のうち中心に近接する側には前記スプライン軸とスライドできるように連結された液圧ロッドがスライドできるように連結され、前記回転板にはローリングボールがスライドできるように連結され、
前記スリーブと前記スプライン軸とがスプラインにより当接し同期に回転し、前記回転板の広げた角度により前記上軸連結器と前記下軸連結器との当接関係を変えることを特徴とする請求項１に記載のソーラー掛け時計。
【請求項３】
前記雨水検知装置は前記貯水チャンバのうち中心に近接する側に連通するように設けられたスライドレールを含み、前記スライドレールには浮力板がスライドできるように連結され、前記浮力板には前記ローリングボールと当接した位置制限カバーが設けられ、前記浮力板の下側と前記スライドレールの底端内壁との間には圧縮バネが連結され、前記スライドレールの頂端には前記浮力板の上側と当接した流れ止めドアが設けられ、前記浮力板の上側には押しロッドが設けられ、前記貯水チャンバのうち対称中心から離れている側には排水口が連通するように設けられ、前記排水口の頂端の中にはセンサーが嵌設され、前記センサーの下端にはボールバルブが連結され、
雨が降る時、前記浮力板が上へ浮いて前記位置制限カバーを上へ移動連動させ、前記ローリングボールが回転することにより前記回転板の角度を変えることを特徴とする請求項１または請求項２に記載のソーラー掛け時計。
【請求項４】
前記吸収装置は前記スプライン軸に設けられた透明箱を含み、前記透明箱には上方に開口した吸収チャンバが設けられ、前記スプライン軸には前記吸収チャンバの中に位置したボールが設けられ、前記ボールにはソーラーパネルがスライドできるように連結され、前記吸収チャンバの底端内壁には前記ソーラーパネルと当接した方向ロッドが設けられ、前記吸収チャンバの中には左右に対称する開口溝が設けられ、前記開口溝の中には前記押しロッドと当接した仕切りドアが回転できるように連結され、
前記透明箱全体が時間の流れと共に回転し、前記方向ロッドにより前記ソーラーパネルの向く方向を変えて最大限にソーラーエネルギーを吸収することを特徴とする請求項１または請求項３に記載のソーラー掛け時計。
【請求項５】
前記時計が作動する時に前記時計軸により前記横傘歯車を回転連動させることができ、これにより前記スイッチ装置を作動連動させ、これにより吸収装置を作動連動させることを特徴とする請求項１または請求項２または請求項３または請求項４に記載のソーラー掛け時計。
【発明の詳細な説明】
【技術分野】
【０００１】
本発明は時計分野を取り上げて、具体的にはソーラー掛け時計である。
【背景技術】
【０００２】
ほとんどの掛け時計は電池によって電力が提供され、電池が切れた時に人力で高いところに登って電池を交換する必要がある。こういう操作は面倒くさいだけではなく、危険性もある。ソーラーエネルギーを充分に吸収するため、掛け時計は一般的に高いところに取り付けられる。従って、太陽エネルギーを吸収して電気に変えることができる掛け時計は業界発展の必然趨勢となる。
【先行技術文献】
【特許文献】
【０００３】
【特許文献１】中国特許出願公開第１０８７３２９１０号明細書
【発明の概要】
【発明が解決しようとする課題】
【０００４】
本発明の目的はソーラー掛け時計を提供し、それは上記の現在の技術中の問題を解決できる。
【課題を解決するための手段】
【０００５】
本発明のソーラー掛け時計は、掛け箱を含み、前記掛け箱の中には上方に開口した伝動チャンバが設けられ、前記伝動チャンバの前端内壁にはフレームが嵌設され、前記フレームの後端内壁には前後に伸びた時計軸が回転できるように連結され、前記時計軸には前記フレームの中に固定された本体が設けられ、前記時計軸には前記伝動チャンバの中に位置した横傘歯車が設けられ、前記伝動チャンバの中には前記時計軸の上端に位置した横ロッドが固定的に連結され、前記横ロッドには上下に伸びた伝動軸が回転できるように連結され、前記伝動軸には前記横傘歯車と噛合できるように連結された縦傘歯車が設けられ、前記伝動軸には前記横ロッドには前記横ロッドの上端に位置した下軸連結器が設けられ、前記伝動チャンバの中には前記横ロッドの上端に位置したスイッチ装置がスライドできるように連結され、前記掛け箱の上端には左右に対称する貯水箱が固定的に連結され、前記貯水箱の中には上方に開口した貯水チャンバが設けられ、前記貯水チャンバの中には雨検知装置が設けられ、前記雨水検知装置がスイッチ装置を制御し、前記貯水箱の上側には連結ロッドが設けられ、前記連結ロッドにはスプライン軸が回転できるように連結され、前記スプライン軸が前記スイッチ装置に制御され、前記スプライン軸には前記連結ロッドの上端に位置した吸収装置が設けられ、
前記雨水検知装置は前記スイッチ装置により前記吸収装置がソーラーエネルギーを電気に変えて装置に電力を提供するのに作動しているかどうかを検知する。
【０００６】
優選の技術プランとして、前記スイッチ装置は前記伝動チャンバの内壁に設けられ、且つ左右に対称するスライド溝を含み、前記スライド溝の中には支持ロッドがスライドできるように連結され、前記支持ロッドの上側と前記スライド溝の頂端内壁との間には引張バネが連結され、前記支持ロッドには前記スプライン軸とスライドできるように連結されたスリーブが回転できるように連結され、前記スリーブには前記下軸連結器と当接した上軸連結器が設けられ、前記上軸連結器の上側と前記支持ロッドの下側との間には復帰バネが連結され、前記スリーブには左右に対称する凹溝が設けられ、前記凹溝の中には固定軸が回転できるように連結され、前記固定軸には回転板が設けられ、前記回転板の前側と前記凹溝の前側内壁との間にはトーションバネが連結され、前記回転板のうち中心に近接する側には前記スプライン軸とスライドできるように連結された液圧ロッドがスライドできるように連結され、前記回転板にはローリングボールがスライドできるように連結され、
前記スリーブと前記スプライン軸とがスプラインにより当接し同期に回転し、前記回転板の広げた角度により前記上軸連結器と前記下軸連結器との当接関係を変える。
【０００７】
優選の技術プランとして、前記雨水検知装置は前記貯水チャンバのうち中心に近接する側に連通するように設けられたスライドレールを含み、前記スライドレールには浮力板がスライドできるように連結され、前記浮力板には前記ローリングボールと当接した位置制限カバーが設けられ、前記浮力板の下側と前記スライドレールの底端内壁との間には圧縮バネが連結され、前記スライドレールの頂端には前記浮力板の上側と当接した流れ止めドアが設けられ、前記浮力板の上側には押しロッドが設けられ、前記貯水チャンバのうち対称中心から離れている側には排水口が連通するように設けられ、前記排水口の頂端の中にはセンサーが嵌設され、前記センサーの下端にはボールバルブが連結され、
雨が降る時、前記浮力板が上へ浮いて前記位置制限カバーを上へ移動連動させ、前記ローリングボールが回転することにより前記回転板の角度を変える。
【０００８】
優選の技術プランとして、前記吸収装置は前記スプライン軸に設けられた透明箱を含み、前記透明箱には上方に開口した吸収チャンバが設けられ、前記スプライン軸には前記吸収チャンバの中に位置したボールが設けられ、前記ボールにはソーラーパネルがスライドできるように連結され、前記吸収チャンバの底端内壁には前記ソーラーパネルと当接した方向ロッドが設けられ、前記吸収チャンバの中には左右に対称する開口溝が設けられ、前記開口溝の中には前記押しロッドと当接した仕切りドアが回転できるように連結され、
前記透明箱全体が時間の流れと共に回転し、前記方向ロッドにより前記ソーラーパネルの向く方向を変えて最大限にソーラーエネルギーを吸収する。
【０００９】
優選の技術プランとして、前記時計が作動する時に前記時計軸により前記横傘歯車を回転連動させることができ、これにより前記スイッチ装置を作動連動させ、これにより吸収装置を作動連動させる。
【発明の効果】
【００１０】
本発明はソーラーエネルギーを電気に変えて自身に提供し、継続的電力供給になり電池を交換する手間を解決し、また機械的な雨水検知方式により、正確で適時的にソーラーエネルギーの吸収構造の閉鎖状態を調整でき、設備の使用寿命を延長し、時間と同期する回転構造を採用し最大限にエネルギーを利用する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のソーラー掛け時計の全体構成略図
【図２】図２は図１のＡ―Ａの構成略図
【図３】図３は図１のＢ―Ｂの構成略図
【図４】図４は図１のＣの拡大構成略図
【発明を実施するための形態】
【００１３】
本発明のソーラー掛け時計は、掛け箱１１を含み、前記掛け箱１１の中には上方に開口した伝動チャンバ１２が設けられ、前記伝動チャンバ１２の前端内壁にはフレーム４６が嵌設され、前記フレーム４６の後端内壁には前後に伸びた時計軸４０が回転できるように連結され、前記時計軸４０には前記フレーム４６の中に固定された本体４７が設けられ、前記時計軸４０には前記伝動チャンバ１２の中に位置した横傘歯車３９が設けられ、前記伝動チャンバ１２の中には前記時計軸４０の上端に位置した横ロッド１４が固定的に連結され、前記横ロッド１４には上下に伸びた伝動軸１３が回転できるように連結され、前記伝動軸１３には前記横傘歯車３９と噛合できるように連結された縦傘歯車４１が設けられ、前記伝動軸１３には前記横ロッド１３には前記横ロッド１４の上端に位置した下軸連結器１５が設けられ、前記伝動チャンバ１２の中には前記横ロッド１４の上端に位置したスイッチ装置９０１がスライドできるように連結され、前記掛け箱１１の上端には左右に対称する貯水箱２０が固定的に連結され、前記貯水箱２０の中には上方に開口した貯水チャンバ２１が設けられ、前記貯水チャンバ２１の中には雨検知装置９０２が設けられ、前記雨水検知装置９０２がスイッチ装置９０１を制御し、前記貯水箱２０の上側には連結ロッド２６が設けられ、前記連結ロッド２６にはスプライン軸３４が回転できるように連結され、前記スプライン軸３４が前記スイッチ装置９０１に制御され、前記スプライン軸３４には前記連結ロッド２６の上端に位置した吸収装置９０３が設けられ、
前記雨水検知装置９０２は前記スイッチ装置９０１により前記吸収装置９０３がソーラーエネルギーを電気に変えて装置に電力を提供するのに作動しているかどうかを検知する。
【００１４】
有益的には、前記スイッチ装置９０１は前記伝動チャンバ１２の内壁に設けられ、且つ左右に対称するスライド溝３８を含み、前記スライド溝３８の中には支持ロッド１８がスライドできるように連結され、前記支持ロッド１８の上側と前記スライド溝３８の頂端内壁との間には引張バネ３７が連結され、前記支持ロッド１８には前記スプライン軸３４とスライドできるように連結されたスリーブ１７が回転できるように連結され、前記スリーブ１７には前記下軸連結器１５と当接した上軸連結器１６が設けられ、前記上軸連結器１６の上側と前記支持ロッド１８の下側との間には復帰バネ５１が連結され、前記スリーブ１７には左右に対称する凹溝４５が設けられ、前記凹溝４５の中には固定軸４４が回転できるように連結され、前記固定軸４４には回転板４２が設けられ、前記回転板４２の前側と前記凹溝４５の前側内壁との間にはトーションバネ４３が連結され、前記回転板４２のうち中心に近接する側には前記スプライン軸３４とスライドできるように連結された液圧ロッド５２がスライドできるように連結され、前記回転板４２にはローリングボール３５がスライドできるように連結され、
前記スリーブ１７と前記スプライン軸３４とがスプラインにより当接し同期に回転し、前記回転板４２の広げた角度により前記上軸連結器１６と前記下軸連結器１５との当接関係を変える。
【００１５】
有益的には、前記雨水検知装置９０２は前記貯水チャンバ２１のうち中心に近接する側に連通するように設けられたスライドレール３６を含み、前記スライドレール３６には浮力板１９がスライドできるように連結され、前記浮力板１９には前記ローリングボール３５と当接した位置制限カバー２５が設けられ、前記浮力板１９の下側と前記スライドレール３６の底端内壁との間には圧縮バネ２２が連結され、前記スライドレール３６の頂端には前記浮力板１９の上側と当接した流れ止めドア２３が設けられ、前記浮力板１９の上側には押しロッド２４が設けられ、前記貯水チャンバ２１のうち対称中心から離れている側には排水口５０が連通するように設けられ、前記排水口５０の頂端の中にはセンサー４８が嵌設され、前記センサー４８の下端にはボールバルブ４９が連結され、
雨が降る時、前記浮力板１９が上へ浮いて前記位置制限カバー２５を上へ移動連動させ、前記ローリングボール３５が回転することにより前記回転板４２の角度を変える。
【００１６】
有益的には、前記吸収装置９０３は前記スプライン軸３４に設けられた透明箱２７を含み、前記透明箱２７には上方に開口した吸収チャンバ２８が設けられ、前記スプライン軸３４には前記吸収チャンバ２８の中に位置したボール３０が設けられ、前記ボール３０にはソーラーパネル２９がスライドできるように連結され、前記吸収チャンバ２８の底端内壁には前記ソーラーパネル２９と当接した方向ロッド３３が設けられ、前記吸収チャンバ２８の中には左右に対称する開口溝３１が設けられ、前記開口溝３１の中には前記押しロッド２４と当接した仕切りドア３２が回転できるように連結され、
前記透明箱２７全体が時間の流れと共に回転し、前記方向ロッド３３により前記ソーラーパネル２９の向く方向を変えて最大限にソーラーエネルギーを吸収する。
【００１７】
有益的には、前記時計４７が作動する時に前記時計軸４０により前記横傘歯車３９を回転連動させることができ、これにより前記スイッチ装置９０１を作動連動させ、これにより吸収装置９０３を作動連動させる。
【００１８】
初期状態に、仕切りドア３２が斜めに置かれて押しロッド２４と当接していなく、位置制限カバー２５が回転板４２と縦の平面との夾角まで下へ移動し、上軸連結器１６と下軸連結器１５とを当接させ、この時浮力板１９も貯水チャンバ２１のうち底端に近接するところに位置しており、センサー４８が作動していなくて排水口５０に水が流通できないようにする。
【００１９】
装置が作動する時、時計４７が回転し、時計軸４０により横傘歯車３９を回転連動させ、横傘歯車３９が噛合により縦傘歯車４１を回転させ、縦傘歯車４１が順次に伝動軸１３と、下軸連結器１５と、上軸連結器１６とによりスリーブ１７を回転させ、スリーブ１７がスプライン軸３４とのスプライン当接によりスプライン軸３４を回転させ、スプライン軸３４が透明箱２７を回転連動させ、方向ロッド３３とソーラーパネル２９との当接により、ソーラーパネル２９がボール３０のスライドと共に方向を変え、
雨が降る時、浮力が浮力板１９を上へ移動させて同期に下軸連結器１５を上へ移動させ、下軸連結器１５が斜め向きの形であり、下軸連結器１５の横幅の変化が回転板４２をトーションバネ４３の弾性回復により両側へ回転させ、スリーブ１７を上へ移動連動させて下軸連結器１５と上軸連結器１６とを当接状態から離脱させ、そして復帰バネ５１の弾性回復により上軸連結器１６を復帰させ、同時に、押しロッド２４が上へ移動し仕切りドア３２を押し動かして回転させ、仕切りドア３２が吸収チャンバ２８を閉め、雨が止んだらセンサー４８を始動し、ボールバルブ４９を回転させて排水口５０に連通させ、貯水チャンバ２１の中の水を排出する。
【００２０】
本発明の有益効果は：本発明はソーラーエネルギーを電気に変えて自身に提供し、継続的電力供給になり電池を交換する手間を解決し、また機械的な雨水検知方式により、正確で適時的にソーラーエネルギーの吸収構造の閉鎖状態を調整でき、設備の使用寿命を延長し、時間と同期する回転構造を採用し最大限にエネルギーを利用する。
【００２１】
以上の方式により、本分野の技術者は本発明の範囲内において作動モードによって各種な変形をすることができる。
【図１】
2020160037.tif 000003
【図２】
2020160037.tif 000004
【図３】
2020160037.tif 000005
【図４】
2020160037.tif 000006
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
正面視で、掛け箱を含み、前記掛け箱の中には上方に開口した伝動チャンバが設けられ、前記伝動チャンバの前端内壁にはフレームが嵌設され、前記フレームの後端内壁には前後に伸びた時計軸が回転できるように連結され、前記時計軸には前記フレームの中に固定された時計が設けられ、前記時計軸には前記伝動チャンバの中に位置した横傘歯車が設けられ、前記伝動チャンバの中には前記時計軸の上端に位置した横ロッドが固定的に連結され、前記横ロッドには上下に伸びた伝動軸が回転できるように連結され、前記伝動軸には前記横傘歯車と噛合できるように連結された縦傘歯車が設けられ、前記伝動軸には前記横ロッドには前記横ロッドの上端に位置した下軸連結器が設けられ、前記伝動チャンバの中には前記横ロッドの上端に位置したスイッチ装置がスライドできるように連結され、前記掛け箱の上端には左右に対称に設けられた貯水箱が固定的に連結され、前記貯水箱の中には上方に開口した貯水チャンバが設けられ、前記貯水チャンバの中には雨水検知装置が設けられ、前記雨水検知装置がスイッチ装置を制御し、前記貯水箱の上側には連結ロッドが設けられ、前記連結ロッドにはスプライン軸が回転できるように連結され、前記スプライン軸が前記スイッチ装置に制御され、前記スプライン軸には前記連結ロッドの上端に位置した吸収装置が設けられ、
前記雨水検知装置は前記スイッチ装置により前記吸収装置がソーラーエネルギーを電気に変えて装置に電力を提供するのに作動しているかどうかを検知し、
前記スイッチ装置は前記伝動チャンバの内壁に設けられ、且つ左右に対称に設けられたスライド溝を含み、前記スライド溝の中には支持ロッドがスライドできるように連結され、前記支持ロッドの上側と前記スライド溝の頂端内壁との間には引張バネが連結され、前記支持ロッドには前記スプライン軸とスライドできるように連結されたスリーブが回転できるように連結され、前記スリーブには前記下軸連結器と当接した上軸連結器が設けられ、前記上軸連結器の上側と前記支持ロッドの下側との間には復帰バネが連結され、前記スリーブには左右に対称する凹溝が設けられ、前記凹溝の中には固定軸が回転できるように連結され、前記固定軸には回転板が設けられ、前記回転板の前側と前記凹溝の前側内壁との間にはトーションバネが連結され、前記回転板のうち中心に近接する側には前記スプライン軸とスライドできるように連結された液圧ロッドがスライドできるように連結され、前記回転板にはローリングボールがスライドできるように連結され、
前記スリーブと前記スプライン軸とがスプラインにより当接し同期に回転し、前記回転板の広げた角度により前記上軸連結器と前記下軸連結器との当接関係を変え、
前記雨水検知装置は前記貯水チャンバのうち中心に近接する側に連通するように設けられたスライドレールを含み、前記スライドレールには浮力板がスライドできるように連結され、前記浮力板には前記ローリングボールと当接した位置制限カバーが設けられ、前記浮力板の下側と前記スライドレールの底端内壁との間には圧縮バネが連結され、前記スライドレールの頂端には前記浮力板の上側と当接した流れ止めドアが設けられ、前記浮力板の上側には押しロッドが設けられ、前記貯水チャンバのうち対称中心から離れている側には排水口が連通するように設けられ、前記排水口の頂端の中にはセンサーが嵌設され、前記センサーの下端にはボールバルブが連結され、
雨が降る時、前記浮力板が上へ浮いて前記位置制限カバーを上へ移動連動させ、前記ローリングボールが回転することにより前記回転板の角度を変え、
前記吸収装置は前記スプライン軸に設けられた透明箱を含み、前記透明箱には上方に開口した吸収チャンバが設けられ、前記スプライン軸には前記吸収チャンバの中に位置したボールが設けられ、前記ボールにはソーラーパネルがスライドできるように連結され、前記吸収チャンバの底端内壁には前記ソーラーパネルと当接した方向ロッドが設けられ、前記吸収チャンバの中には左右に対称に設けられた開口溝が設けられ、前記開口溝の中には前記押しロッドと当接した仕切りドアが回転できるように連結され、
前記透明箱全体が時間の流れと共に回転し、前記方向ロッドにより前記ソーラーパネルの向く方向を変えて最大限にソーラーエネルギーを吸収し、
前記時計が作動する時に前記時計軸により前記横傘歯車を回転連動させることができ、これにより前記スイッチ装置を作動連動させ、これにより吸収装置を作動連動させることを特徴とするソーラー掛け時計。
【手続補正２】
【補正対象書類名】明細書
【補正対象項目名】全文
【補正方法】変更
【補正の内容】
【発明の詳細な説明】
【技術分野】
【０００１】
本発明は時計分野を取り上げて、具体的にはソーラー掛け時計である。
【背景技術】
【０００２】
ほとんどの掛け時計は電池によって電力が提供され、電池が切れた時に人力で高いところに登って電池を交換する必要がある。こういう操作は面倒くさいだけではなく、危険性もある。ソーラーエネルギーを充分に吸収するため、掛け時計は一般的に高いところに取り付けられる。従って、太陽エネルギーを吸収して電気に変えることができる掛け時計は業界発展の必然趨勢となる。
【先行技術文献】
【特許文献】
【０００３】
【特許文献１】中国特許出願公開第１０８７３２９１０号明細書
【発明の概要】
【発明が解決しようとする課題】
【０００４】
本発明の目的はソーラー掛け時計を提供し、それは上記の現在の技術中の問題を解決できる。
【課題を解決するための手段】
【０００５】
本発明のソーラー掛け時計は、掛け箱を含み、前記掛け箱の中には上方に開口した伝動チャンバが設けられ、前記伝動チャンバの前端内壁にはフレームが嵌設され、前記フレームの後端内壁には前後に伸びた時計軸が回転できるように連結され、前記時計軸には前記フレームの中に固定された時計が設けられ、前記時計軸には前記伝動チャンバの中に位置した横傘歯車が設けられ、前記伝動チャンバの中には前記時計軸の上端に位置した横ロッドが固定的に連結され、前記横ロッドには上下に伸びた伝動軸が回転できるように連結され、前記伝動軸には前記横傘歯車と噛合できるように連結された縦傘歯車が設けられ、前記伝動軸には前記横ロッドには前記横ロッドの上端に位置した下軸連結器が設けられ、前記伝動チャンバの中には前記横ロッドの上端に位置したスイッチ装置がスライドできるように連結され、前記掛け箱の上端には左右に対称に設けられた貯水箱が固定的に連結され、前記貯水箱の中には上方に開口した貯水チャンバが設けられ、前記貯水チャンバの中には雨水検知装置が設けられ、前記雨水検知装置がスイッチ装置を制御し、前記貯水箱の上側には連結ロッドが設けられ、前記連結ロッドにはスプライン軸が回転できるように連結され、前記スプライン軸が前記スイッチ装置に制御され、前記スプライン軸には前記連結ロッドの上端に位置した吸収装置が設けられ、
前記雨水検知装置は前記スイッチ装置により前記吸収装置がソーラーエネルギーを電気に変えて装置に電力を提供するのに作動しているかどうかを検知する。
【０００６】
優選の技術プランとして、前記スイッチ装置は前記伝動チャンバの内壁に設けられ、且つ左右に対称に設けられたスライド溝を含み、前記スライド溝の中には支持ロッドがスライドできるように連結され、前記支持ロッドの上側と前記スライド溝の頂端内壁との間には引張バネが連結され、前記支持ロッドには前記スプライン軸とスライドできるように連結されたスリーブが回転できるように連結され、前記スリーブには前記下軸連結器と当接した上軸連結器が設けられ、前記上軸連結器の上側と前記支持ロッドの下側との間には復帰バネが連結され、前記スリーブには左右に対称する凹溝が設けられ、前記凹溝の中には固定軸が回転できるように連結され、前記固定軸には回転板が設けられ、前記回転板の前側と前記凹溝の前側内壁との間にはトーションバネが連結され、前記回転板のうち中心に近接する側には前記スプライン軸とスライドできるように連結された液圧ロッドがスライドできるように連結され、前記回転板にはローリングボールがスライドできるように連結され、
前記スリーブと前記スプライン軸とがスプラインにより当接し同期に回転し、前記回転板の広げた角度により前記上軸連結器と前記下軸連結器との当接関係を変える。
【０００７】
優選の技術プランとして、前記雨水検知装置は前記貯水チャンバのうち中心に近接する側に連通するように設けられたスライドレールを含み、前記スライドレールには浮力板がスライドできるように連結され、前記浮力板には前記ローリングボールと当接した位置制限カバーが設けられ、前記浮力板の下側と前記スライドレールの底端内壁との間には圧縮バネが連結され、前記スライドレールの頂端には前記浮力板の上側と当接した流れ止めドアが設けられ、前記浮力板の上側には押しロッドが設けられ、前記貯水チャンバのうち対称中心から離れている側には排水口が連通するように設けられ、前記排水口の頂端の中にはセンサーが嵌設され、前記センサーの下端にはボールバルブが連結され、
雨が降る時、前記浮力板が上へ浮いて前記位置制限カバーを上へ移動連動させ、前記ローリングボールが回転することにより前記回転板の角度を変える。
【０００８】
優選の技術プランとして、前記吸収装置は前記スプライン軸に設けられた透明箱を含み、前記透明箱には上方に開口した吸収チャンバが設けられ、前記スプライン軸には前記吸収チャンバの中に位置したボールが設けられ、前記ボールにはソーラーパネルがスライドできるように連結され、前記吸収チャンバの底端内壁には前記ソーラーパネルと当接した方向ロッドが設けられ、前記吸収チャンバの中には左右に対称に設けられた開口溝が設けられ、前記開口溝の中には前記押しロッドと当接した仕切りドアが回転できるように連結され、
前記透明箱全体が時間の流れと共に回転し、前記方向ロッドにより前記ソーラーパネルの向く方向を変えて最大限にソーラーエネルギーを吸収する。
【０００９】
優選の技術プランとして、前記時計が作動する時に前記時計軸により前記横傘歯車を回転連動させることができ、これにより前記スイッチ装置を作動連動させ、これにより吸収装置を作動連動させる。
【発明の効果】
【００１０】
本発明はソーラーエネルギーを電気に変えて自身に提供し、継続的電力供給になり電池を交換する手間を解決し、また機械的な雨水検知方式により、正確で適時的にソーラーエネルギーの吸収構造の閉鎖状態を調整でき、設備の使用寿命を延長し、時間と同期する回転構造を採用し最大限にエネルギーを利用する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のソーラー掛け時計の全体構成略図
【図２】図２は図１のＡ―Ａの構成略図
【図３】図３は図１のＢ―Ｂの構成略図
【図４】図４は図１のＣの拡大構成略図
【発明を実施するための形態】
【００１３】
本発明のソーラー掛け時計は、掛け箱１１を含み、前記掛け箱１１の中には上方に開口した伝動チャンバ１２が設けられ、前記伝動チャンバ１２の前端内壁にはフレーム４６が嵌設され、前記フレーム４６の後端内壁には前後に伸びた時計軸４０が回転できるように連結され、前記時計軸４０には前記フレーム４６の中に固定された時計４７が設けられ、前記時計軸４０には前記伝動チャンバ１２の中に位置した横傘歯車３９が設けられ、前記伝動チャンバ１２の中には前記時計軸４０の上端に位置した横ロッド１４が固定的に連結され、前記横ロッド１４には上下に伸びた伝動軸１３が回転できるように連結され、前記伝動軸１３には前記横傘歯車３９と噛合できるように連結された縦傘歯車４１が設けられ、前記伝動軸１３には前記横ロッド１３には前記横ロッド１４の上端に位置した下軸連結器１５が設けられ、前記伝動チャンバ１２の中には前記横ロッド１４の上端に位置したスイッチ装置９０１がスライドできるように連結され、前記掛け箱１１の上端には左右に対称に設けられた貯水箱２０が固定的に連結され、前記貯水箱２０の中には上方に開口した貯水チャンバ２１が設けられ、前記貯水チャンバ２１の中には雨水検知装置９０２が設けられ、前記雨水検知装置９０２がスイッチ装置９０１を制御し、前記貯水箱２０の上側には連結ロッド２６が設けられ、前記連結ロッド２６にはスプライン軸３４が回転できるように連結され、前記スプライン軸３４が前記スイッチ装置９０１に制御され、前記スプライン軸３４には前記連結ロッド２６の上端に位置した吸収装置９０３が設けられ、
前記雨水検知装置９０２は前記スイッチ装置９０１により前記吸収装置９０３がソーラーエネルギーを電気に変えて装置に電力を提供するのに作動しているかどうかを検知する。
【００１４】
有益的には、前記スイッチ装置９０１は前記伝動チャンバ１２の内壁に設けられ、且つ左右に対称に設けられたスライド溝３８を含み、前記スライド溝３８の中には支持ロッド１８がスライドできるように連結され、前記支持ロッド１８の上側と前記スライド溝３８の頂端内壁との間には引張バネ３７が連結され、前記支持ロッド１８には前記スプライン軸３４とスライドできるように連結されたスリーブ１７が回転できるように連結され、前記スリーブ１７には前記下軸連結器１５と当接した上軸連結器１６が設けられ、前記上軸連結器１６の上側と前記支持ロッド１８の下側との間には復帰バネ５１が連結され、前記スリーブ１７には左右に対称する凹溝４５が設けられ、前記凹溝４５の中には固定軸４４が回転できるように連結され、前記固定軸４４には回転板４２が設けられ、前記回転板４２の前側と前記凹溝４５の前側内壁との間にはトーションバネ４３が連結され、前記回転板４２のうち中心に近接する側には前記スプライン軸３４とスライドできるように連結された液圧ロッド５２がスライドできるように連結され、前記回転板４２にはローリングボール３５がスライドできるように連結され、
前記スリーブ１７と前記スプライン軸３４とがスプラインにより当接し同期に回転し、前記回転板４２の広げた角度により前記上軸連結器１６と前記下軸連結器１５との当接関係を変える。
【００１５】
有益的には、前記雨水検知装置９０２は前記貯水チャンバ２１のうち中心に近接する側に連通するように設けられたスライドレール３６を含み、前記スライドレール３６には浮力板１９がスライドできるように連結され、前記浮力板１９には前記ローリングボール３５と当接した位置制限カバー２５が設けられ、前記浮力板１９の下側と前記スライドレール３６の底端内壁との間には圧縮バネ２２が連結され、前記スライドレール３６の頂端には前記浮力板１９の上側と当接した流れ止めドア２３が設けられ、前記浮力板１９の上側には押しロッド２４が設けられ、前記貯水チャンバ２１のうち対称中心から離れている側には排水口５０が連通するように設けられ、前記排水口５０の頂端の中にはセンサー４８が嵌設され、前記センサー４８の下端にはボールバルブ４９が連結され、
雨が降る時、前記浮力板１９が上へ浮いて前記位置制限カバー２５を上へ移動連動させ、前記ローリングボール３５が回転することにより前記回転板４２の角度を変える。
【００１６】
有益的には、前記吸収装置９０３は前記スプライン軸３４に設けられた透明箱２７を含み、前記透明箱２７には上方に開口した吸収チャンバ２８が設けられ、前記スプライン軸３４には前記吸収チャンバ２８の中に位置したボール３０が設けられ、前記ボール３０にはソーラーパネル２９がスライドできるように連結され、前記吸収チャンバ２８の底端内壁には前記ソーラーパネル２９と当接した方向ロッド３３が設けられ、前記吸収チャンバ２８の中には左右に対称に設けられた開口溝３１が設けられ、前記開口溝３１の中には前記押しロッド２４と当接した仕切りドア３２が回転できるように連結され、
前記透明箱２７全体が時間の流れと共に回転し、前記方向ロッド３３により前記ソーラーパネル２９の向く方向を変えて最大限にソーラーエネルギーを吸収する。
【００１７】
有益的には、前記時計４７が作動する時に前記時計軸４０により前記横傘歯車３９を回転連動させることができ、これにより前記スイッチ装置９０１を作動連動させ、これにより吸収装置９０３を作動連動させる。
【００１８】
初期状態に、仕切りドア３２が斜めに置かれて押しロッド２４と当接していなく、位置制限カバー２５が回転板４２と縦の平面との夾角まで下へ移動し、上軸連結器１６と下軸連結器１５とを当接させ、この時浮力板１９も貯水チャンバ２１のうち底端に近接するところに位置しており、センサー４８が作動していなくて排水口５０に水が流通できないようにする。
【００１９】
装置が作動する時、時計４７が回転し、時計軸４０により横傘歯車３９を回転連動させ、横傘歯車３９が噛合により縦傘歯車４１を回転させ、縦傘歯車４１が順次に伝動軸１３と、下軸連結器１５と、上軸連結器１６とによりスリーブ１７を回転させ、スリーブ１７がスプライン軸３４とのスプライン当接によりスプライン軸３４を回転させ、スプライン軸３４が透明箱２７を回転連動させ、方向ロッド３３とソーラーパネル２９との当接により、ソーラーパネル２９がボール３０のスライドと共に方向を変え、
雨が降る時、浮力が浮力板１９を上へ移動させて同期に位置制限カバー２５を上へ移動させ、位置制限カバー２５が斜め向きの形であり、位置制限カバー２５の横幅の変化が回転板４２をトーションバネ４３の弾性回復により両側へ回転させ、スリーブ１７を上へ移動連動させて下軸連結器１５と上軸連結器１６とを当接状態から離脱させ、そして復帰バネ５１の弾性回復により上軸連結器１６を復帰させ、同時に、押しロッド２４が上へ移動し仕切りドア３２を押し動かして回転させ、仕切りドア３２が吸収チャンバ２８を閉め、雨が止んだらセンサー４８を始動し、ボールバルブ４９を回転させて排水口５０に連通させ、貯水チャンバ２１の中の水を排出する。
【００２０】
本発明の有益効果は：本発明はソーラーエネルギーを電気に変えて自身に提供し、継続的電力供給になり電池を交換する手間を解決し、また機械的な雨水検知方式により、正確で適時的にソーラーエネルギーの吸収構造の閉鎖状態を調整でき、設備の使用寿命を延長し、時間と同期する回転構造を採用し最大限にエネルギーを利用する。
【００２１】
以上の方式により、本分野の技術者は本発明の範囲内において作動モードによって各種な変形をすることができる。